(57)【特許請求の範囲】
【請求項１】
第１の画面および第２の画面を有する表示手段と、
第１のアプリケーションを示す第１のアプリケーション表示と第２のアプリケーションを示す第２のアプリケーション表示とを所定の位置関係で含むペアアイコンを前記第１の画面または前記第２の画面に表示し、前記ペアアイコンがユーザによって指定されると、前記第１のアプリケーションと前記第２のアプリケーションを、前記第１のアプリケーション表示と前記第２のアプリケーション表示の前記位置関係に応じた配置で前記第１の画面と前記第２の画面にそれぞれ起動する制御手段と、を有し、
前記制御手段は、
ユーザにより前記第１のアプリケーションを示す第１のアイコンと前記第２のアプリケーションを示す第２のアイコンとを指定して前記ペアアイコンの生成を指示されると、前記第１のアプリケーション表示と前記第２のアプリケーション表示を含む前記ペアアイコンを生成して前記第１の画面または前記第２の画面のいずれかに表示し、
前記第１のアイコンと前記第２のアイコンが所定の領域にドラッグアンドドロップされると、前記ペアアイコンを生成して前記所定の領域に表示し、
前記第１のアイコンと前記第２のアイコンのドロップされた位置に応じて前記ペアアイコンにおける前記第１のアプリケーション表示と前記第２のアプリケーション表示の前記位置関係を決定する、情報処理端末。
【請求項２】
前記制御手段は、前記ペアアイコンに所定の操作がされると、前記第１のアプリケーション表示と前記第２のアプリケーション表示の位置を入れ替える、請求項１に記載の情報処理端末。
【請求項３】
第１の画面および第２の画面を有する表示手段と、
第１のアプリケーションを示す第１のアプリケーション表示と第２のアプリケーションを示す第２のアプリケーション表示とを所定の位置関係で含むペアアイコンを前記第１の画面または前記第２の画面に表示し、前記ペアアイコンがユーザによって指定されると、前記第１のアプリケーションと前記第２のアプリケーションを、前記第１のアプリケーション表示と前記第２のアプリケーション表示の前記位置関係に応じた配置で前記第１の画面と前記第２の画面にそれぞれ起動する制御手段と、を有し、
前記制御手段は、前記ペアアイコンに所定の操作がされると、前記第１のアプリケーション表示と前記第２のアプリケーション表示の位置を入れ替える、情報処理端末。
【請求項４】
前記ペアアイコンを指定する操作は前記ペアアイコンへのシングルタップであり、前記第１のアプリケーション表示と前記第２のアプリケーション表示の位置を入れ替える前記所定の操作はダブルタップである、請求項２または３に記載の情報処理端末。
【請求項５】
前記情報処理端末の姿勢を検知する姿勢検知手段を更に有し、
前記姿勢検知手段で検知された姿勢から、前記第１の画面と前記第２の画面が縦に並んでいれば、前記ペアアイコンにおいて前記第１のアプリケーション表示と前記第２のアプリケーション表示を少なくとも縦に互いにずらして並べ、前記第１の画面と前記第２の画面が横に並んでいれば前記ペアアイコンにおいて前記第１のアプリケーション表示と前記第２のアプリケーション表示を少なくとも横に互いにずらして並べる、請求項１から４のいずれか一項に記載の情報処理端末。
【請求項６】
第１の画面および第２の画面を有する表示手段と、
第１のアプリケーションを示す第１のアプリケーション表示と第２のアプリケーションを示す第２のアプリケーション表示とを所定の位置関係で含むペアアイコンを前記第１の画面または前記第２の画面に表示し、前記ペアアイコンがユーザによって指定されると、前記第１のアプリケーションと前記第２のアプリケーションを、前記第１のアプリケーション表示と前記第２のアプリケーション表示の前記位置関係に応じた配置で前記第１の画面と前記第２の画面にそれぞれ起動する制御手段と、を有する情報処理端末であって、
前記情報処理端末の姿勢を検知する姿勢検知手段を更に有し、
前記姿勢検知手段で検知された姿勢から、前記第１の画面と前記第２の画面が縦に並んでいれば、前記ペアアイコンにおいて前記第１のアプリケーション表示と前記第２のアプリケーション表示を少なくとも縦に互いにずらして並べ、前記第１の画面と前記第２の画面が横に並んでいれば前記ペアアイコンにおいて前記第１のアプリケーション表示と前記第２のアプリケーション表示を少なくとも横に互いにずらして並べる、情報処理端末。
【請求項７】
前記制御手段は、前記第１のアプリケーション表示と前記第２のアプリケーション表示とを一部重ねて前記ペアアイコンに配置する、請求項１から６のいずれか一項に記載の情報処理端末。
【請求項８】
前記制御手段は、前記第１のアプリケーション表示と前記第２のアプリケーション表示とを斜めに一部重ねて前記ペアアイコンに配置する、請求項７に記載の情報処理端末。
【請求項９】
第１の画面および第２の画面を有する情報処理端末のアプリケーション制御方法であって、
第１のアプリケーションを示す第１のアプリケーション表示と第２のアプリケーションを示す第２のアプリケーション表示とを所定の位置関係で含むペアアイコンを前記第１の画面または前記第２の画面に表示し、
前記ペアアイコンがユーザによって指定されると、前記第１のアプリケーションと前記第２のアプリケーションを、前記第１のアプリケーション表示と前記第２のアプリケーション表示の前記位置関係に応じた配置で前記第１の画面と前記第２の画面にそれぞれ起動し、
ユーザにより前記第１のアプリケーションを示す第１のアイコンと前記第２のアプリケーションを示す第２のアイコンとを指定して前記ペアアイコンの生成を指示されると、前記第１のアプリケーション表示と前記第２のアプリケーション表示を含む前記ペアアイコンを生成して前記第１の画面または前記第２の画面のいずれかに表示し、
前記第１のアイコンと前記第２のアイコンが所定の領域にドラッグアンドドロップされると、前記ペアアイコンを生成して前記所定の領域に表示し、
前記第１のアイコンと前記第２のアイコンのドロップされた位置に応じて前記ペアアイコンにおける前記第１のアプリケーション表示と前記第２のアプリケーション表示の前記位置関係を決定する、アプリケーション制御方法。
【請求項１０】
第１の画面および第２の画面を有する情報処理端末のアプリケーション制御方法であって、
第１のアプリケーションを示す第１のアプリケーション表示と第２のアプリケーションを示す第２のアプリケーション表示とを所定の位置関係で含むペアアイコンを前記第１の画面または前記第２の画面に表示し、
前記ペアアイコンがユーザによって指定されると、前記第１のアプリケーションと前記第２のアプリケーションを、前記第１のアプリケーション表示と前記第２のアプリケーション表示の前記位置関係に応じた配置で前記第１の画面と前記第２の画面にそれぞれ起動し、
前記ペアアイコンに所定の操作がされると、前記第１のアプリケーション表示と前記第２のアプリケーション表示の位置を入れ替える、アプリケーション制御方法。
【請求項１１】
第１の画面および第２の画面を有する情報処理端末のアプリケーション制御方法であって、
第１のアプリケーションを示す第１のアプリケーション表示と第２のアプリケーションを示す第２のアプリケーション表示とを所定の位置関係で含むペアアイコンを前記第１の画面または前記第２の画面に表示し、
前記ペアアイコンがユーザによって指定されると、前記第１のアプリケーションと前記第２のアプリケーションを、前記第１のアプリケーション表示と前記第２のアプリケーション表示の前記位置関係に応じた配置で前記第１の画面と前記第２の画面にそれぞれ起動し、
前記情報処理端末の姿勢を検知し、
前記検知された姿勢から、前記第１の画面と前記第２の画面が縦に並んでいれば、前記ペアアイコンにおいて前記第１のアプリケーション表示と前記第２のアプリケーション表示を少なくとも縦に互いにずらして並べ、前記第１の画面と前記第２の画面が横に並んでいれば前記ペアアイコンにおいて前記第１のアプリケーション表示と前記第２のアプリケーション表示を少なくとも横に互いにずらして並べる、アプリケーション制御方法。
【発明の詳細な説明】
【技術分野】
【０００１】
本発明は、複数のディスプレイを備えた情報処理端末に関する。
【背景技術】
【０００２】
携帯電話機、スマートフォン、携帯情報端末、パーソナルコンピュータなどの情報処理端末の中には２つのディスプレイを備えたものがある。そのような情報処理端末の中には、２つのアプリケーションそれぞれを２つのディスプレイに個別に表示させることが可能なものがある（特許文献１参照）。
【０００３】
２つのアプリケーションを同時に起動しておき、２つのアプリケーションを２つのディスプレイにそれぞれ表示すれば、ユーザが２つのアプリケーションを同時に利用したり、交互に利用したりするときに利便性が高い。
【０００４】
また、情報処理端末におけるアプリケーション起動に関する技術として、特許文献２には、複数のアプリケーションを組みとして単一のアイコンに割り当てることによって、１つのアイコンを指定するだけで複数のアプリケーションを起動させる携帯型情報機器が記載されている。
【０００５】
また、特許文献３には、複数のアプリケーションそれぞれが指定された時刻の差に基づいて、複数のアプリケーションをグルーピングする情報処理装置が記載されている。この情報処理装置は、グルーピングした全てのアプリケーションを一回の操作で起動できる。
【０００６】
さらに、特許文献３には、情報処理装置が、グルーピングした複数のアプリケーションのランチャボタンをグループのアイコンの近傍に表示することが記載されている。また特許文献３には、グルーピングした複数のアプリケーションのいずれか１つのランチャボタンが指定されると、グループの他のアプリケーションのランチャボタンを強調して表示することが記載されている。
【先行技術文献】
【特許文献】
【０００７】
【特許文献１】特開平１０−１９８５０５号公報
【特許文献２】特開平１０‐９７４０７号公報
【特許文献３】特開２００５‐２２７９５１号公報
【発明の概要】
【発明が解決しようとする課題】
【０００８】
その一方で、複数のディスプレイを有する情報処理端末においては、複数のアプリケーションを使いやすいように複数のディスプレイに適切に配置して起動するのに操作が煩雑となる場合があった。
【０００９】
例えば、複数のアプリケーションを所望のディスプレイに配置するために、ユーザに煩雑な操作が要求される場合があった。例えば、１つのアプリケーションを起動し、そのアプリケーションの画面を所望のディスプレイに移動し、次のアプリケーションを起動するというような複数の操作がユーザに要求される場合があった。
【００１０】
また、ディスプレイがタッチパネル式である場合、次のアプリケーションを起動するための操作を行う側のディスプレイに先にアプリケーションが起動されてしまうと、次のアプリケーションを起動するために、先に起動したアプリケーションを一旦非表示にすることが要求される場合があった。
【００１１】
また、２つのディスプレイにまたがって大きな画面を表示することがあるアプリケーションでは、アプリケーションを起動したときに大きな画面が表示されたら、もう一つのアプリケーションを起動する前に、メニュー操作により、大きな画面を１つのディスプレイに表示されるように変更することが要求される場合があった。
【００１２】
複数のアプリケーションの同時起動については、特許文献２、３の技術によって、アプリケーション同士を関連付けて１回の操作でそれらを同時に起動できるようになるので、操作の煩雑さが緩和される。
【００１３】
しかし、特許文献２、３の技術を用いても各アプリケーションを適切なディスプレイに配置することはできない。そのため、ユーザは、起動された複数のアプリケーションの画面を所望のディスプレイに移動させる操作を別途行わなければならなかった。
【００１４】
本発明の目的は、ユーザの操作を煩雑にせずに複数のアプリケーションを複数のディスプレイに適切に配置して起動することが可能な情報処理端末を提供することである。
【課題を解決するための手段】
【００１５】
上記目的を達成するために、本発明の情報処理端末は、
第１の画面および第２の画面を有する表示手段と、
第１のアプリケーションを示す第１のアプリケーション表示と第２のアプリケーションを示す第２のアプリケーション表示とを所定の位置関係で含むペアアイコンを前記第１の画面または前記第２の画面に表示し、前記ペアアイコンがユーザによって指定されると、前記第１のアプリケーションと前記第２のアプリケーションを、前記第１のアプリケーション表示と前記第２のアプリケーション表示の前記位置関係に応じた配置で前記第１の画面と前記第２の画面にそれぞれ起動する制御手段と、を有している。
【００１６】
本発明の制御方法は、第１の画面および第２の画面を有する情報処理端末のアプリケーション制御方法であって、
第１のアプリケーションを示す第１のアプリケーション表示と第２のアプリケーションを示す第２のアプリケーション表示とを所定の位置関係で含むペアアイコンを前記第１の画面または前記第２の画面に表示し、
前記ペアアイコンがユーザによって指定されると、前記第１のアプリケーションと前記第２のアプリケーションを、前記第１のアプリケーション表示と前記第２のアプリケーション表示の前記位置関係に応じた配置で前記第１の画面と前記第２の画面にそれぞれ起動するものである。
【発明の効果】
【００１７】
本発明によれば、ユーザの煩雑な操作を要さずに複数のアプリケーションを複数のディスプレイに適切に配置して起動することができる。
【図面の簡単な説明】
【００１８】
【図１】第１の実施形態による情報処理端末の正面図である。
【図２】第１の実施形態による情報処理端末の機能的な構成を示すブロック図である。
【図３Ａ】第１の実施形態による情報処理端末の動作の概要を説明するための図である。
【図３Ｂ】第１の実施形態による情報処理端末の動作の概要を説明するための図である。
【図４】第１の実施形態における情報処理端末１０がペアのアプリケーションを起動するときの動作を示すフローチャートである。
【図５】第２の実施形態による情報処理端末の機能的な構成を示すブロック図である。
【図６】第２の実施形態の情報処理端末１０がペアアイコンを作成するときの動作を示すフローチャートである。
【図７Ａ】第２の実施形態の情報処理端末１０がペアアイコンを作成する様子を説明するための図である。
【図７Ｂ】第２の実施形態の情報処理端末１０がペアアイコンを作成する様子を説明するための図である。
【図７Ｃ】第２の実施形態の情報処理端末１０がペアアイコンを作成する様子を説明するための図である。
【図７Ｄ】第２の実施形態の情報処理端末１０がペアアイコンを作成する様子を説明するための図である。
【図８】第２の実施形態における情報処理端末１０がペアのアプリケーションを起動するときの動作を示すフローチャートである。
【図９】第２の実施形態による情報処理端末１０が、ペアとなっている２つのアプリケーションを起動するディスプレイを入れ替える動作を示すフローチャートである。
【図１０】第２の実施形態による情報処理端末１０の姿勢変化があったときの動作を示すフローチャートである。
【図１１Ａ】第２の実施形態による情報処理端末１０の姿勢変化があったときの動作の様子を示す図である。
【図１１Ｂ】第２の実施形態による情報処理端末１０の姿勢変化があったときの動作の様子を示す図である。
【図１２】図１１Ａの状態からペアのアプリケーションが起動された場合のアプリケーションの配置を示す図である。
【図１３】図１１Ｂの状態からペアのアプリケーションが起動された場合のアプリケーションの配置を示す図である。
【発明を実施するための形態】
【００１９】
本発明を実施するための形態について図面を参照して詳細に説明する。
【００２０】
（第１の実施形態）
図１は、第１の実施形態による情報処理端末の正面図である。本発明の実施形態の情報処理端末１０は一例として通信機能を備えた携帯情報端末であり、開閉可能に接続された２つの筐体１３、１４からなり、各筐体１３、１４のそれぞれにディスプレイ１１、１２を備えている。２つのディスプレイ１１、１２は、筐体１３と筐体１４を開いた状態で表示面が同じ方向を向き、ユーザの視界に同時に入るように配置されている。
【００２１】
図２は、第１の実施形態による情報処理端末の機能的な構成を示すブロック図である。図２を参照すると、情報処理端末１０はディスプレイ１１、１２および制御部１５を有している。
【００２２】
ディスプレイ１１、１２は、それぞれに画面を表示する機能と、ユーザの指やペンによるタッチ操作を検出する機能とを有するタッチパネル式の表示入力装置である。ディスプレイ１１、１２は、制御部１５からの制御で画面を表示し、ユーザがタッチした位置を示すタッチ入力情報を制御部１５に通知する。
【００２３】
制御部１５は、アプリケーションを起動してその画面をディスプレイ１１、１２に表示し、またアプリケーションの処理を実行する処理装置である。制御部１５に、アプリケーション等の各種処理の実行を受け持つＣＰＵと、ディスプレイ１１、１２への画像表示の処理を受け持つＧＰＵ（Ｇｒａｐｈｉｃｓ  Ｐｒｏｃｅｓｓｉｎｇ  Ｕｎｉｔ）とが含まれていてもよい。
【００２４】
また、制御部１５はペアアイコンをディスプレイ１１またはディスプレイ１２に表示させる。ペアアイコンは、ペアとなる２つのアプリケーションの表示（以下「アプリケーション表示」という）を所定の位置関係で含んだアイコンであり、２つのアプリケーションを同時に起動するためのものである。ペアアイコンにおける２つのアプリケーション表示の位置関係はディスプレイ１１、１２の位置関係と対応しており、２つのアプリケーション表示の位置関係に応じて２つのアプリケーションが起動されるディスプレイが決まる。
【００２５】
制御部１５は、ペアアイコンがユーザによってシングルタップされると、そのペアアイコンでペアとなっている２つのアプリケーションを２つのアプリケーション表示の位置関係に応じた配置でディスプレイ１１とディスプレイ１２にそれぞれ起動する。シングルタップは１回の短時間のタッチによる操作である。
【００２６】
図３Ａ〜Ｂは、第１の実施形態による情報処理端末の動作の概要を説明するための図である。
【００２７】
図３Ａには、アプリケーションＡ（ＡＰ−Ａ）のアプリケーション表示２１と、アプリケーションＢ（ＡＰ−Ｂ）のアプリケーション表示２２とを含むペアアイコン２３がディスプレイ１１に表示されている。そして、アプリケーション表示２１とアプリケーション表示２２の位置関係としては、アプリケーション表示２１が右側つまりディスプレイ１２側にあり、アプリケーション表示２２が左側つまりディスプレイ１１側にある。
【００２８】
図３Ａの状態でユーザがペアアイコン２３に対してシングルタップを行うと、アプリケーション表示２１とアプリケーション表示２２の位置関係に基づき、図３Ｂに示されているように、アプリケーションＡがディスプレイ１２に起動され、アプリケーションＢがディスプレイ１１に起動される。
【００２９】
図４は、第１の実施形態における情報処理端末１０がペアのアプリケーションを起動するときの動作を示すフローチャートである。
【００３０】
アプリケーションが起動される前は、図３Ａに示したようにディスプレイ１１にペアアイコン２３が表示されている。その状態で、ユーザがペアアイコン２３に対してシングルタップを行うと、ディスプレイ１１から制御部１５に、ペアアイコン２３の位置へのタッチを表すタッチ入力情報が通知される。
【００３１】
制御部１５は、ディスプレイ１１、１２からのタッチ入力情報を監視しており（ステップ１０１）、ペアアイコン２３へのシングルタップが行われると、ペアアイコン２３におけるアプリケーション表示２１とアプリケーション表示２２の相対的な位置関係を求める（ステップ１０２）。
【００３２】
そして、制御部１５は、求めた位置関係に基づいて、アプリケーションＡとアプリケーションＢをそれぞれどちらのディスプレイに起動するかを決定する（ステップ１０３）。ここでは、図３Ａに示したようにアプリケーションＡのアイコンが右側にあり、アプリケーションＢの左側にあるので、制御部１５は、アプリケーションＡをディスプレイ１２に起動し、アプリケーションＢをディスプレイ１１に起動することを決定する。
【００３３】
続いて、制御部１５は、決定した配置に従って２つのアプリケーションＡ、Ｂを２つのディスプレイ１２、１１に起動する（ステップ１０４）。
【００３４】
なお、ここでは、制御部１５が２つのアプリケーション表示２１、２２の位置関係から、２つのアプリケーションＡ、Ｂを起動するディスプレイを求めるものとしたが、本発明はこれに限定されるものではない。他の例として、どちらのアプリケーションをどちらのディスプレイに配置して起動するかを定め、その配置情報をアプリケーションのペアに対応付けてテーブルとして予め設定しておくことにしてもよい。その場合、制御部１５は、２つのアプリケーション表示を配置情報に従った位置関係で配置したペアアイコン２３をディスプレイ１１またはディスプレイ１２に表示しており、ペアアイコン２３へのシングルタップを検知すると配置情報を参照し、配置情報に示された配置でアプリケーション２１、２２を起動すればよい。
【００３５】
以上説明したように、本実施形態によれば、２つのアプリケーション表示２１、２２を所定の位置関係で含むペアアイコン２３をユーザがタッチすれば、アプリケーション表示２１、２２の位置関係に対応した配置で２つのアプリケーションＢ、Ａを２つのディスプレイ１１、１２に起動できるので、ユーザの操作を煩雑にせずに２つのアプリケーションＡ、Ｂを２つのディスプレイ１１、１２に適切に配置して起動することができる。
【００３６】
なお、本実施形態における２つのディスプレイ１１、１２を備えた情報処理端末１０は開閉式である必要はなく他のどのような構成であってもよい。他の例として、２つの筐体１３、１４が互いに摺動可能に接続されたスライド式であってもよく、あるいは２つの筐体１３、１４が互いに分離可能であってもよい。また、情報処理端末１０は１つの筐体に２つのディスプレイ１１、１２を備える構成であってもよい。更には、情報処理端末１０は物理的には１つのディスプレイを有し、そのディスプレイに２つの画面を表示するものであってもよい。
【００３７】
（第２の実施形態）
第２の実施形態の情報処理端末は、ユーザがペアアイコンを作成することができ、また、ペアとなっている２つのアプリケーションを起動するディスプレイをユーザが入れ替えることができ、更に、２つのディスプレイを縦に並んでいるか横に並んでいるかにより、ペアアイコンにおける２つのアプリケーション表示の位置関係が自動的に変化するものである。
【００３８】
図５は、第２の実施形態による情報処理端末の機能的な構成を示すブロック図である。第２の実施形態の情報処理端末１０も外観は図１に示した第１の実施形態の情報処理端末１０と違いはない。
【００３９】
図５を参照すると、第２の実施形態による情報処理端末１０は姿勢センサ３１を有する点で図１の構成と異なる。姿勢センサ３１は３軸加速度センサ等で情報処理端末１０の姿勢を検知し、姿勢情報を制御部１５に通知するセンサである。また、第２の実施形態では、制御部１５の実行する処理も第１の実施形態のものとは異なる。
【００４０】
図６は、第２の実施形態の情報処理端末１０がペアアイコンを作成するときの動作を示すフローチャートである。図７Ａ〜Ｄは、第２の実施形態の情報処理端末１０がペアアイコンを作成する様子を説明するための図である。
【００４１】
ここではペアアイコンを作成する前の状態では図７Ａに示すようにアプリケーションＡ、Ｂのアイコン４１、４２が表示されているものとする。また、ここではペアアイコンの作成を指示する操作は、一例として、ペアアイコンを作成したい領域への長押しタッチであるものとする。ここで長押しタッチは同一位置に所定時間（例えば数秒間）以上連続してタッチする操作である。
【００４２】
図６を参照すると、制御部１５は、ディスプレイ１１、１２からのタッチ入力情報を監視しており（ステップ２０１）、ペアアイコンを作成したい領域への長押しタッチが行われると、ペアアイコンの作成指示を検知し、図７Ｂに示すように、長押しタッチが行われた領域に空のペアアイコン２３を表示する（ステップ２０２）。
【００４３】
続いて、制御部１５は、アプリケーションのアイコンがペアアイコン２３の領域にドラッグアンドドロップされるのを監視する（ステップ２０３）。ここでは、図７Ｃ〜Ｄに示すように、アプリケーションＡのアイコン４１とアプリケーションＢのアイコン４２がペアアイコン２３にドラッグアンドドロップされたとする。
【００４４】
そうすると、制御部１５は、２つのアイコン４１、４２がペアアイコン２３にドラッグアンドドロップされると、アイコン４１、４２がドロップされた位置の相対的な関係に応じて、アプリケーションＡ、Ｂを起動するディスプレイと、それに一致するペアアイコン２３におけるアプリケーションＡ、Ｂのアプリケーション表示の位置関係を決定する（ステップ２０４）。ここでは、図７Ｃ〜Ｄに示したように、アイコン４１が右側にドロップされ、アイコン４２が左側にドロップされたので、
制御部１５は、アプリケーションＡを右側のディスプレイ１２に起動し、アプリケーションＢを左側のディスプレイ１１に起動することを決定する。
【００４５】
次に、制御部１５は、アプリケーションＡ、ＢのペアについてアプリケーションＡ、Ｂのそれぞれを起動するディスプレイを示す配置情報を登録情報テーブルに登録すると共に、アプリケーション表示２１、２２が配置情報と一致する位置関係となるように表示したペアアイコン２３を表示する（ステップ２０５）。ここではディスプレイの表示は図３Ａに示したようになる。
【００４６】
図８は、第２の実施形態における情報処理端末１０がペアのアプリケーションを起動するときの動作を示すフローチャートである。第２の実施形態における情報処理端末１０がペアのアプリケーションを起動するときの様子は図３Ａ〜Ｂに示したものと同様である。
【００４７】
図８を参照すると、制御部１５は、ディスプレイ１１、１２からのタッチ入力情報を監視しており（ステップ３０１）、ペアアイコン２３へのシングルタップが行われると、登録情報テーブルを参照する（ステップ３０２）。そして、制御部１５は、登録情報テーブルの配置情報から、ペアアイコン２３のアプリケーションＡ、Ｂを起動するディスプレイを求め、それに従った配置でアプリケーションＡ、Ｂを起動する（ステップ３０３）。ここでは、制御部１５は、図３Ｂに示したように、アプリケーションＡをディスプレイ１２に起動し、アプリケーションＢをディスプレイ１１に起動する。
【００４８】
図９は、第２の実施形態による情報処理端末１０が、ペアとなっている２つのアプリケーションを起動するディスプレイを入れ替える動作を示すフローチャートである。ここでは、２つのアプリケーションを起動するディスプレイ入れ替えるための操作はダブルタップであるものとする。ダブルタップは連続した２回の短時間のタッチによる操作である。
【００４９】
図９を参照すると、制御部１５は、ディスプレイ１１、１２からのタッチ入力情報を監視しており（ステップ４０１）、ペアアイコン２３へのダブルタップが行われると、
登録情報テーブルの配置情報におけるアプリケーションＡ、Ｂを起動するディスプレイを入れ替えると共に、ペアアイコン２３における２つのアプリケーション表示を入れ替える（ステップ４０２）。
【００５０】
図１０は、第２の実施形態による情報処理端末１０の姿勢変化があったときの動作を示すフローチャートである。図１１Ａ〜Ｂは、第２の実施形態による情報処理端末１０の姿勢変化があったときの動作の様子を示す図である。
【００５１】
図１０を参照すると、制御部１５は、姿勢センサ３１からの姿勢情報を監視しており（ステップ５０１）、縦から横へあるいは横から縦への姿勢変化があると、ペアアイコン２３の形状を変化させ、ペアアイコン２３における２つのアプリケーション表示の位置関係を縦から横へ、あるいは横から縦へ変化させる（ステップ５０２）。
【００５２】
ここでは図１１Ａに示すように、ユーザが情報処理端末１０をディスプレイ１１とディスプレイ１２を横に並べて使用している状態から９０度回転させ、図１１Ｂに示すようにディスプレイ１１とディスプレイ１２を縦に並べた状態にしたとする。登録情報テーブルには、アプリケーションＢがディスプレイ１１に起動され、アプリケーションＡがディスプレイ１２に起動されるように登録されている。そのため、上側となっているディスプレイ１１に起動するアプリケーションＢのアプリケーション表示２２が上で、下側となっているディスプレイ１２に起動するアプリケーションＡのアプリケーション表示２１が下となるようにペアアイコン２３が変化する。
【００５３】
図１２は、図１１Ａの状態からペアのアプリケーションが起動された場合のアプリケーションの配置を示す図である。図１３は、図１１Ｂの状態からペアのアプリケーションが起動された場合のアプリケーションの配置を示す図である。
【００５４】
図１２を参照すると、アプリケーションＢが左側のディスプレイ１１に起動され、アプリケーションＡが右側のディスプレイ１２に起動されている。図１３を参照すると、アプリケーションＢが上側のディスプレイ１１に起動され、アプリケーションＡが下側のディスプレイ１２に起動されている。
【００５５】
なお、上述した第１および第２の実施形態では、ペアアイコンにおいて、アプリケーションＡのアプリケーション表示とアプリケーションＢのアプリケーション表示を、横並びあるいは縦並びで、両者が重ならないように表示する例を示した。しかし、本発明はこの例に限定されるものではない。
【００５６】
他の例として、ペアアイコンにおいて一方のアプリケーション表示を他方のアプリケーション表示の上に一部分重ねて表示してもよい。これにより、ペアアイコンを、１つのアプリケーションを示す通常のアイコン（以下「シングルアイコン」という）に近い大きさにすることができる。ペアアイコンの大きさをシングルアイコンの大きさに近づけることは、特にアイコン表示エリアが制限される小型の情報処理端末においてメリットが大きい。なお、アプリケーション表示の重なり具合は、下側のアプリケーション表示が示すアプリケーションが分かる程度とするのが好ましい。
【００５７】
また、他の例として、ペアアイコンにおいて２つのアプリケーション表示をシングルアイコンよりも小さく表示することにより、ペアアイコン全体の大きさを縮小してもよい。これによってもペアアイコンをシングルアイコンに近い大きさにすることができる。例えば、２つのアプリケーション表示を小さくし、かつ重ねて表示すれば、視認性を余り損なわずに、ペアアイコンの大きさをシングルアイコンの大きさと同等にすることもできる。
【００５８】
また、他の例として、ペアアイコンにおいて２つのアプリケーション表示を、２つのアプリケーションＡ、Ｂと２つのディスプレイ１１、１２の対応が判別できる位置関係で、斜めに配置してもよい。少なくとも２つの画面が並んでいる方向において２つのアプリケーション表示が互いにずれて配置されていれば、２つのアプリケーションＡ、Ｂと２つのディスプレイ１１、１２の対応は判別できる。例えば、２つのアプリケーション表示を互いに斜めにずれた位置関係で一部重ねて表示すれば、ペアアイコンをシングルアイコンに近い大きさにすることができる。また、例えば、２つのディスプレイ１１、１２が縦並びになっても横並びになっても、２つのアプリケーションＡ、Ｂと２つのディスプレイ１１、１２との対応が判別できるような位置関係で、２つのアプリケーション表示を互いに斜めに重ねて配置してもよい。これによれば、情報処理端末の姿勢が変化して２つのディスプレイの並びが縦あるいは横に変化しても、２つのアプリケーション表示の位置関係やペアアイコンの形状を変化させる必要が無い。
【符号の説明】
【００５９】
１０  情報処理端末
１１、１２  ディスプレイ
１３、１４  筐体
１５  制御部
２１、２２  アプリケーション表示
２３  ペアアイコン
３１  姿勢センサ
４１、４２  アイコン
【図１】
0005333397.tif 000002
【図２】
0005333397.tif 000003
【図３Ａ】
0005333397.tif 000004
【図３Ｂ】
0005333397.tif 000005
【図４】
0005333397.tif 000006
【図５】
0005333397.tif 000007
【図６】
0005333397.tif 000008
【図７Ａ】
0005333397.tif 000009
【図７Ｂ】
0005333397.tif 000010
【図７Ｃ】
0005333397.tif 000011
【図７Ｄ】
0005333397.tif 000012
【図８】
0005333397.tif 000013
【図９】
0005333397.tif 000014
【図１０】
0005333397.tif 000015
【図１１Ａ】
0005333397.tif 000016
【図１１Ｂ】
0005333397.tif 000017
【図１２】
0005333397.tif 000018
【図１３】
0005333397.tif 000019